(57)【要約】【課題】スクリーン面に歪みや皺が発生せず、近接型の映写機を用いても映像に影響を与えることがないスクリーン装置を提供する。【解決手段】下辺が棒状体３に取り付けられたスクリーン２を上方への巻回による収納と下方への引き出しによる展開を行うスクリーン装置において、スクリーン２の裏面にて上方から垂直下方向に延伸及び伸縮自在なリンク機構１０と、このリンク機構１０の下端から棒状体３に沿って延びた長尺状の水平材２２と、スクリーン２の両側辺の外側に側辺に沿って上下に張られて適宜間隔にてスクリーン２の側辺と接続部材３０にて接続されている線材２９とを有し、前記水平材２２と棒状体３は少なくともスクリーン２の下辺全長に対して１／２〜２／３の間隔を有した左右２カ所で固定手段２３により固定され、前記リンク機構１０はスクリーン２を展開させた最延伸状態でロック可能な構成を採用する。【選択図】図２
0003164227.tif 000002
【実用新案登録請求の範囲】
【請求項１】
上辺が上方に設置された水平な回動軸に取り付けられ、下辺が棒状体に取り付けられたスクリーンを、回動軸への巻回による収納と、回動軸から下方への引き出しによる展開を行うスクリーン装置において、スクリーンの裏面にて回動軸付近から垂直下方向に延伸及び伸縮自在なリンク機構と、このリンク機構の下端からスクリーン下辺の棒状体に沿って延びた長尺状の水平材と、スクリーンの両側辺の外側に側辺に沿って上下に張られて適宜間隔にてスクリーンの側辺と接続部材にて接続されている線材とを有し、前記水平材と棒状体は少なくともスクリーンの下辺全長に対して１／２〜２／３の間隔を有した左右２カ所で接続固定され、前記リンク機構はスクリーンを展開させた最延伸状態でロック可能なロック機構を有することを特徴とするスクリーン装置。
【請求項２】
上辺が上方に設置された水平な回動軸に取り付けられ、下辺が棒状体に取り付けられたスクリーンを、モータにより可逆回転する回動軸への巻回による収納と、回動軸から下方への引き出しによる展開を行うスクリーン装置において、スクリーンの裏面にて回動軸付近から垂直下方向に延伸及び伸縮自在なリンク機構と、このリンク機構の下端からスクリーン下辺の棒状体に沿って延びた長尺状の水平材と、スクリーンの両側辺の外側に側辺に沿って上下に張られて適宜間隔にてスクリーンの側辺と接続部材にて接続されている線材とを有し、前記水平材と棒状体は少なくともスクリーンの下辺全長に対して１／２〜２／３の間隔を有した左右２カ所で接続固定されていることを特徴とするスクリーン装置。
【考案の詳細な説明】
【技術分野】
【０００１】
この考案は、会議室、宴会場、体育館、劇場等の屋内、室内において、未使用時は天井付近に巻回されて収納され、使用時に下方に延ばして展開するスクリーン装置に関し、更に詳しくは、使用時にスクリーンに皺の発生が無いスクリーン装置に関するものである。
【背景技術】
【０００２】
会議室、宴会場、体育館、劇場等の屋内や比較的大きな室内において、説明や娯楽のためにプロジェクター映写、スライド映写、映画鑑賞等を行う場合、映像を映写するためのスクリーンが必要となるが、映写の度にスクリーンを設置するのは面倒であるので、予め天井付近にスクリーンを巻回して設置しておき、映写の必要時にスクリーンを天井付近から下方に引きだして、その状態でスクリーンに対して映像を映写し、映写が終了すれば、またスクリーンを巻回して天井付近へ収納することが行われている。
【０００３】
このような天井付近に収納されるスクリーンは、未使用時には天井付近にて巻回されて収納され、使用時の引き延ばした状態で平面を保持することが重要であり、四辺形のスクリーンの上辺を天井付近に設置された回動軸に固定し、回動軸を回すことでスクリーンを巻回して収納し、一方スクリーンの下辺に沿って固体の棒状体を取り付けることで、スクリーンを引き出した時、スクリーンの上辺は回動軸により、下辺は棒状体により横方向に張設保持されており、また、棒状体の重量によりスクリーンが下方に引っ張られることで、スクリーンは上下左右に引っ張られて平面性を維持することになる。
【０００４】
なお、スクリーンの回動軸への巻回および引き出しは、電動モータによる回動軸の正逆回転によるものや、バネによりスクリーンの巻回方向へ付勢しておいて、人手によってバネの力に抗して棒状体を下方に引き出して引き出し終了時点で適宜手段にてスクリーンを係止するものなどがある（例えば、特許文献１参照）。
【０００５】
スクリーンを用いて映写する際には、映写機を使用状態のスクリーンと略同じ高さの机等の上に設置し、スクリーンへのテスト投影等を行って投射映像の位置やピントの調整を行っていた。
【０００６】
一方、最近、映写機を投影の度に設置する煩わしさや、映写機のスペース効率のために、映写機をスクリーンの直前の天井付近に逆向きに固定設置しておき、鏡を利用して延ばした状態のスクリーンにピントが来るように予め調整しておくものもある（例えば、特許文献２参照）。
【０００７】
更に、一台のプロジェクター内に特殊構成のレンズ群や凹面鏡を配置して、特許文献２のように、スクリーン直前の天井付近に固定しつつ直接スクリーンにピントが来るような省スペース型プロジェクターも開発されてきている。
【先行技術文献】
【特許文献】
【０００８】
【特許文献１】特許第２９９９４２４号公報
【特許文献２】特開２００１−３５６４１８号公報
【考案の概要】
【考案が解決しようとする課題】
【０００９】
ところで、未使用時に巻回されて収納される巻回収納型のスクリーンは、その材質に可撓性のある布やシート状の材料を用いており、使用時には延ばして平面状としているため多少の平面の歪みが生じることがあるが、従来のように映写機を投影のたびに机の上に設置するのであればスクリーン面と映写機に距離があり、スクリーンの多少の歪みや皺があっても、その歪みや皺によるスクリーン面の前後の位置ずれが、スクリーン面と映像機との距離に比べて極僅かであるので、投影される画像に影響を与えるほど問題にならなかった。
【００１０】
しかしながら、特許文献２の映写機や前述の省スペース型プロジェクターを用いる場合、スクリーン面に近い位置でかつ斜め上から照射しているにもかかわらず映像のピントが垂直なスクリーン面に来るように特殊なレンズや反射板を利用しており、映像のピント位置がシビアであり、スクリーン面に少しの歪みや皺が生じても、投影される映像に影響を与えることがある。
【００１１】
これら巻回収納型のスクリーンについても、上記のような最新型のプロジェクター等に適用するために使用時の皺や歪みが発生しないような工夫が重ねられてきており、例えば、スクリーンの下辺に取り付けられる棒状体の重量を重くして、スクリーンに加えられる上下方向の張力を大きくすることがあるが、重量増によるコスト増大と持ち運び時や設置時の負担の他、巻き取り用回転軸のバネや電動モータへの負担が増す問題がある。
【００１２】
また、スクリーンの適宜場所に固体の棒材等を複数箇所にて固定することでスクリーンに張力を与えて平面性を確保する手段も考えられるが、スクリーンに不用意に強い張力を与えると、逆にスクリーン表面に張力方向に沿った長い皺が生じたりすることがある。
【００１３】
更に、種々の手段によりスクリーンに対する平面性を確保しても、風等によりスクリーン全体が揺れてしまうと、シビアなピント位置からスクリーンが外れてしまい、正確な投射映像が確保できないという問題があった。
【００１４】
そこで、この考案は、上記のような課題を解決し、普段は巻回されて使用時に延ばされるスクリーン装置において、スクリーン面に歪みや皺が発生せず、風等によってもスクリーン面が揺れず、特許文献２のようなピントがシビアな映写機を用いても映像に影響を与えることがないスクリーン装置を提供することを課題とする。
【課題を解決するための手段】
【００１５】
以上のような課題を解決するため、請求項１の考案は、上辺が上方に設置された水平な回動軸に取り付けられ、下辺が棒状体に取り付けられたスクリーンを、回動軸への巻回による収納と、回動軸から下方への引き出しによる展開を行うスクリーン装置において、スクリーンの裏面にて回動軸付近から垂直下方向に延伸及び伸縮自在なリンク機構と、このリンク機構の下端からスクリーン下辺の棒状体に沿って延びた長尺状の水平材と、スクリーンの両側辺の外側に側辺に沿って上下に張られて適宜間隔にてスクリーンの側辺と接続部材にて接続されている線材とを有し、前記水平材と棒状体は少なくともスクリーンの下辺全長に対して１／２〜２／３の間隔を有した左右２カ所で接続固定され、前記リンク機構はスクリーンを展開させた最延伸状態でロック可能なロック機構を有することを特徴とするスクリーン装置である。
【００１６】
また、請求項２の考案は、上辺が上方に設置された水平な回動軸に取り付けられ、下辺が棒状体に取り付けられたスクリーンを、モータにより可逆回転する回動軸への巻回による収納と、回動軸から下方への引き出しによる展開を行うスクリーン装置において、スクリーンの裏面にて回動軸付近から垂直下方向に延伸及び伸縮自在なリンク機構と、このリンク機構の下端からスクリーン下辺の棒状体に沿って延びた長尺状の水平材と、スクリーンの両側辺の外側に側辺に沿って上下に張られて適宜間隔にてスクリーンの側辺と接続部材にて接続されている線材とを有し、前記水平材と棒状体は少なくともスクリーンの下辺全長に対して１／２〜２／３の間隔を有した左右２カ所で接続固定されていることを特徴とするスクリーン装置である。
【００１７】
この考案が適用されるスクリーン装置は、請求項１の考案のように、スクリーンの回動軸への巻回をバネを利用して巻回しておいて回動軸からの引き出し手動で棒状体を下に引いて展開するものでも、請求項２の考案のようにモータを用いて電動で自動的に回動軸を正逆回転させて巻回と引き出しを行うものでも、どちらあってもよい。
【００１８】
スクリーン下辺全長に亘って取り付けられている棒状体と水平材を接続固定することで、ロックされたリンク機構により棒状体に下方向への張力が加わるが、棒状体と水平材との接続固定部分が棒状体の中心部のみであると、棒状体の中心部にのみ下方向への張力がかかり棒状体がＶ字形に微小に曲がり、逆に棒状体の両端部で水平材と接続固定されると、棒状体両端部に下方向への張力がかかり棒状体が逆Ｖ字形に微小に曲がり、結果としてスクリーンに皺や歪みが生じてしまう。
【００１９】
一方、この考案のように、棒状体と水平材の固定箇所をスクリーン下辺全長に対して１／２〜２／３の範囲の間隔をおいて２カ所で接続固定すれば、棒状体全体に対して２カ所に均等に下方向への力が加わることになり、棒状体が曲がったりせず、結果としてスクリーンに皺や歪みが生じたりしなくなる。
【００２０】
なお、棒状体と水平材の接続固定箇所を上記２カ所以外に設けて全体として３カ所以上、或いは、全長に亘って複数箇所接続固定してもよいが、固定箇所が３カ所以上となると複数箇所での固定部分の張力の相違によるスクリーンへの皺や歪みが生じるので固定部分での固定力（張力）の調整が必要となったり、水平材の長さや固定部材の数が増えたりして、製造の手間やコストが上昇してしまうので、手間やコストとその効果の兼ね合いからこの考案の規定する範囲で２カ所固定すれば必要十分な効果を生じる。
【００２１】
更に、スクリーンは、スクリーンの両側辺の外側に側辺に沿って上下に張られた線材に対して適宜間隔にて接続部材にて接続されることで、横方向への張力も加えられて、上下左右から張力が加わるが、前記の棒状体の左右２カ所にて水平材により加えられた下向きの力が、この線材へ加わる張力を増大させるので、結果として接続部材により接続されたスクリーン側辺への横方向への張力も増大する。
【考案の効果】
【００２２】
以上のように、請求項１の考案によると、スクリーンを展開してリンク機構をロックした際、リンク機構の下端に取り付けた水平材が、棒状体に対してスクリーン下辺全長の１／２〜２／３の間隔を有した左右２カ所で接続固定されているので、棒状体は中央付近のみに下向きの力が加えられて中央を下にしてＶ字形に曲がったり、棒状体の両端部に下向きの力が加えられて逆Ｖ字形に曲がったりすることが無く、棒状体が曲がることなく下向きの力を受け、結果として、棒状体に取り付けられたスクリーンも歪んだり皺になったりすることがなく均等に下方向への張力が与えられる。
【００２３】
また、スクリーンの左右の側辺も、その外側に上下に張設された線材に対して適宜間隔にて接続部材により接続されているので、線材方向に全辺に亘って均等な張力が加わり、スクリーンは上下左右に均等に引っ張られることになり、皺や歪み無く平面性を向上させることができ、最近の天井付近に設置される近接型の映写機を用いても、スクリーン面の皺や歪みによる映像への悪影響を生じることがない。
【００２４】
更に、スクリーンは、機械的にロックされたリンク機構に接続された水平材により、下辺に沿った棒状体の左右２カ所で固定されているので、風等によって揺れたり動いたりすることがなく、映写されている映像が乱れることが無い。
【００２５】
次に、請求項２の考案によると、棒状体やそれに接続された水平材やリンク機構の自重によりスクリーンには回動軸から下方へ展開される力のみが働いており、手動方式の場合のような回動軸にバネを用いたりしたスクリーンを巻き上げるための上向きの力は働いておらず、回動軸をモータにより可逆回転させることのみで、スクリーンを展開及び収納しているので、スクリーンを展開した際はモータを停止させるだけでリンク機構のロック機構は不要であり、その際、棒状体に対してスクリーン下辺全長の１／２〜２／３の間隔を有した左右２カ所で接続固定されてリンク機構や水平材の自重により下向きの力を加えているので、請求項１の場合と同様に、棒状体や棒状体に取り付けられたスクリーンが歪んだり皺になったりすることがなく均等に下方向への張力が与えられる。
【００２６】
また、スクリーンの左右の側辺が上下に張設された線材に対して適宜間隔にて接続部材により接続されることで、スクリーン面の皺や歪みによる映像への悪影響を生じることがないことも、請求項１と同様である。
【００２７】
更に、リンク機構や水平材の自重が下辺に沿った棒状体の左右２カ所の固定部分にかかり、スクリーンは左右２カ所で下向きの力が加わって固定されているので、風等によって揺れたり動いたりすることがなく、映写されている映像が乱れることが無い点も請求項１と同様である。
【００２８】
また、この請求項１や請求項２の考案は構造が簡易であり、スクリーンに張力を加えるために棒状体の重量を重くしたりする重量面の増加が無いので、スクリーン巻き上げ時の巻き取りバネや電動モータに対する負担が増加しないので、コスト増加を伴わない。
【図面の簡単な説明】
【００２９】
【図１】この考案のスクリーン装置におけるスクリーンの収納状態の背面図である。
【図２】この考案のスクリーン装置におけるスクリーンの展開状態の背面図である。
【図３】この考案のスクリーン装置における要部拡大斜視図である。
【図４】この考案のスクリーン装置における要部拡大背面図である。
【図５】この考案のスクリーン装置における要部拡大斜視図である。
【考案を実施するための形態】
【００３０】
以下、この考案の実施例を添付図面を参考にして説明する。
図１及び図２に示すように、この考案のスクリーン装置のスクリーンケース１は、収納するスクリーン２を筒状に巻き取った巻回体（図示せず）を収納可能な大きさの長尺状かつ円筒状の箱体であり、その大きさは収納するスクリーン２の寸法によって種々のものがあるが、一例として直径約１００ｍｍ、長さ約２ｍ程度である。また、スクリーンケース１の下面には長手方向に沿ったスクリーンの出し入れ用の開口溝（図示せず）が設けられている。
【００３１】
このスクリーンケース１の形状は図示の円筒形状に限定されるものではなく、矩形状であってもよく、また、その材質についても特に限定されるものではないが、その耐久性や軽量・剛性の点からアルミ合金を用いるのが一般的である。
【００３２】
スクリーンケース１内に、バネ等の巻き取り力が付勢された回動軸（図示せず）が収納され、この回動軸にスクリーン２が巻き付いてバネ等の力で巻き上げられて筒状の巻回体を形成しており、前述のスクリーンケース１の開口部を通じて巻回体からスクリーン２が下方に引き出される。
【００３３】
スクリーン２の下端の下辺全体に沿って棒状体３が取り付けられており、棒状体３の中央部付近には把手４が設けられており、この把手４を手に持ったりフックに掛けてから引き下げた際は、スクリーン２はスクリーンケース１内の回動軸を巻き上げ方向と逆方向に回転させながら下方に移動し、スクリーン２を最大限に下に引き延ばした状態で後述するロック機構により停止できるようになっている。
【００３４】
上記スクリーンケース１の天井の下への固定は、図１、図２、図３の斜視図に示すように、その上端部が適宜手段にて天井に取り付けられた垂直方向の２本の支持柱５によってスクリーンケース１が吊り下げ支持されている。
【００３５】
また、スクリーンケース１の中央部に水平方向の平板７とその後方に連続して設けられた垂直方向の平板８とから構成される取付枠６が、その平板７及び／又は平板８において、スクリーンケース１に対してネジ９によるネジ止めを行うことにより、接続固定されている。
【００３６】
更に、取付枠６の後方の平板８には、リンク機構１０を構成する一対の上側リンク１１，１１の上端を貫通して平板８に接続されることで、上側リンク１１，１１を回動自在に保持する一対の保持ピン１２，１２を有しており、一つの上側リンク１１は、この保持ピン１２を中心に展開時のスクリーン２と平行な垂直平面内を回動自在となっている。
【００３７】
また、図４に示すように、一対の上側リンク１１，１１の下端には、蝶番部材１３を介してリンク機構１０を構成する下側リンク１４の上端が接続されており、この蝶番部材１３は、保持ピン１５により回動される上側片１６と下側片１７とからなり、上側片１６を上側リンク１１の下端に、下側片１７を下側リンク１４の上端に接続すると共に、保持ピン１５を展開状態のスクリーン２に垂直方向となるように貫通保持することで、下側リンク１４を上側リンク１１に対してスクリーン２に平行な垂直平面内を回動自在に動くようになっている。
【００３８】
一対の下側リンク１４，１４の下端は、図５に示すように、下部取付枠１８のスクリーン２に平行な垂直方向の平板１９に展開状態のスクリーン２に垂直方向となる保持ピン２０により回動自在に取り付けられている。
【００３９】
またこの下部取付枠１８の垂直な平板１９の前方に接続された水平な平板２１には、スクリーン２下端の棒状体３に平行となる水平な水平材２２が取り付けられており、水平材２２は棒状体３に対して約１／２の寸法となっており、水平材２２の両端部にて棒状体３にネジ止めや嵌め込み等の適宜な固定手段２３にて接続固定されている。
【００４０】
一対の上側リンク１１と一対の下側リンク１４によってパンタグラフ方式のリンク機構１０が構成され、スクリーン２のスクリーンケース１からの引き出しによる展開と、回動軸へのスクリーン２の巻回による収納に従い、リンク機構１０のパンタグラフはそれに従って折れ曲がったり伸びたりして追従する。
【００４１】
図３に示すように、スクリーンケース１付近の取付枠６の垂直方向の平板８には、スクリーン２の展開状態にてリンク機構１０を固定するロック機構が設けられており、このロック機構は、両上側リンク１１に挟まれた平板８の下端に２カ所の切り込みを入れ、切り込んだ部分を後方に引き起こし、スクリーン２が展開状態となった時、上側リンク１１がそれ以上内側に移動しないように上側リンク１２の内側を受け止める受け止め片２４と、この受け止め片２４の上側にて平板８に対してネジ２５によるネジ止め等により固定されたロック片２６の下端付近に両側に突出する弾力性を有する弾性片２７からなり、この弾性片２７の両先端には、前方に向けて突出する突起２８が設けられている。
【００４２】
この弾性片２７は、スクリーン２が展開状態となった時、上側リンク１１の後方に回り込み、前方へ突出した突起２８が上側リンク１１が内側へ通過する際は弾性片２７の弾性により上側リンク１１の後方に退避し、上側リンク１１が突起２８部分を通過して受け止め片２４に当接してそれ以上内側に移動しないようになった際、突起２８は弾性片２７の弾性により前方に復帰して、上側リンク１１の外側への脱出を阻止するようになり、上側リンク１１は受け止め片２４と突起２８に挟まれて固定される。
【００４３】
上記、受け止め片２４と弾性片２７の突起２８によるロック機能を有するリンク機構１０は上記のような構成であり、スクリーン２を展開し終えた際、最後に手動により把手４を押し下げる力を加えることで上側リンク１１が弾性片２７の突起２８を押し逃がして受け止め片２４に当接し、突起２８の復帰によりリンク機構１０の機械的な固定（ロック）が完了する。
【００４４】
図１及び図２に示すように、スクリーン２の両側辺の外側には、側辺に沿って線材２９が或る程度の張力を有して張設されており、この線材２９とスクリーン２の側辺は、適宜な間隔を有して接続手段３０により接続されている。
【００４５】
この線材２９は、上端はスクリーンケース１内の回動軸に接続され、下端を棒状体３に接続されることで、スクリーン１の回動軸への巻回による収納時や引き延ばしによる展開時に、スクリーン２に追従して移動し、その材質は特に限定されないが、回動軸への回動の邪魔にならず、また、弛んだり緩んだりしないような伸び側への強度が必要となるものであれば良く、繊維糸や金属製のワイヤ等が用いられる。
【００４６】
また接続手段３０は、図示のものでは線材２９と同様に糸やワイヤ等の細い線材となっているのが、これに限定されず、例えば布製の短辺を用い、適宜間隔をおいて線材２９とスクリーン２の側辺を接続するようなものであっても良い。
【００４７】
なお、回動軸に可逆回転モータを用いてスクリーン２の展開及び収納を電動式にする場合は、スクリーン２の上下動は専らモータの回動によっており、手動式のように回動軸へスクリーン巻き上げのための常時上向きの力を与えるバネは用いられておらず、スクリーン２を展開状態でリンク機構１０を固定するための弾性片２７や突起２８を用いたロック機構は不要であるが、その他の構成部品については図示の手動方式のものと同様である。
【００４８】
この考案のスクリーン装置は上記のような構成であり、次に、このスクリーン装置の使用方法を説明する。
【００４９】
まず、図１のスクリーン２の収納状態では、リンク機構１０の上側リンク１１と下側リンク１４は、折り畳まれた状態となっており、全体が天井付近に収納されている。
【００５０】
次に、把手４を手に持つか或いは長尺状の治具を把手４に引っ掛けるかによって確保し、その状態で把手４を下方向に引き寄せていけば、スクリーン２もそれに従ってスクリーンケース１から導き出される。
【００５１】
図１に示すように、スクリーン２が伸びきって図２の展開状態となった時、図３に示すように、上側リンク１１が弾性片２７の突起２８を後方に押し逃がして通過し、受け止め片２４に当接することで、受け止め片２４と弾性片２７の弾性により前方に復帰した突起２８とによって挟まれることになり、上側リンク１１はこの状態で固定される。
【００５２】
上側リンク１１の固定によって、リンク機構１０はスクリーン２を展開状態で固定することになり、この際、リンク機構１０の下側に下部取付枠１８を介して固定されている水平材２２は、その両端部の固定手段２３にてスクリーン２下辺の棒状体３を保持しており、スクリーン２を上側の回動軸への巻き取り力に抗して下に引き下げることになり、スクリーン２を上下方向への強力な張力を与えることになる。
【００５３】
また、スクリーン２の左右側辺は、その外側にある線材２９と複数の接続部材３０により接続されているので、スクリーン２には横方向の張力が与えられている。
【００５４】
上記したように、スクリーン２にはリンク機構１０がロック機構によって固定されることで上下方向への張力が与えられ、また、線材２９と接続された接続部材３０により左右方向への張力が与えられることで、上下左右に張力が加わり、スクリーン２の表面に皺や歪みが生じることがないと共に、風等によってもスクリーン２が揺れることが無い。
【００５５】
この作用を更に詳しく説明すると、まず、リンク機構１０が直接棒状体３の中心部１カ所に下方の力を加えるとすると、棒状体３の微細なＶ字形への曲がりが発生し、一方、水平材２２を介して棒状体３の両端部２カ所に下方の力を加えるとすると、棒状体３に微細な逆Ｖ字形の曲がりが発生するが、この考案の構成によれば、リンク機構１０のロックによるスクリーン２への上下方向への張力は、棒状体３の両端から棒状体３の全長の１／６〜１／４となる２カ所にて下向きの力が加わっているので、棒状体３の内寄り左右２カ所に均等に分かれて力が加わることになり、棒状体３の曲がりによるスクリーン２への縦方向の皺や歪みが発生することがない。
【００５６】
また、スクリーン２の側辺に左右方向への張力を加えるための線材２９は、緩み無く或る程度の張力を持って張設されていることが必要であるが、この線材２９の張設のための力は、棒状体３の両端部を上側に引っ張り上げる力となり、本来はスクリーン２への上下方向への緩みや皺を生じさせる原因となるが、前記のロックされたリンク機構１０により棒状体３には線材２９の張力に打ち勝つ機械的な下方への力が加わっており、結果として線材２９の張力をより増大させ、スクリーン２へ対する左右方向への張力も増大し、スクリーン２の平面性がより向上することになる。
【００５７】
スクリーンの使用後は、手動により棒状体３を押し上げることでリンク機構１０を折り曲げ、上側リンク１１を保持ピン１２を中心に外側に回動させ、弾性片２７の弾性を利用して突起２８を後方に押し逃がしながら上側リンク１１を突起２８の外側に脱出させ、その後、スクリーンケース１内の回動軸のバネ力によりスクリーン２を回動軸に巻回して図１に示すように上部に収納する。
【００５８】
なお、電動方式の場合、スクリーン２の展開と収納は、可逆回転モータを制御するだけでスクリーン２を上げ下げできるので、リンク機構１０のロック機構は無く、スクリーン２の展開時のロックや、収納時の手動による棒状体３の押し上げは不要である。
【００５９】
以上、この考案のスクリーン装置の実施形態を添付図面に基づいて説明したが、この考案のスクリーン装置は、この実施形態に限定されるものではなく、この考案の目的の範囲内で適宜設計変更して実施することができる。
【符号の説明】
【００６０】
１  スクリーンケース
２  スクリーン
３  棒状体
４  把手
５  支持柱
６  取付枠
７  平板
８  平板
９  ネジ
１０  リンク機構
１１  上側リンク
１２  保持ピン
１３  蝶番部材
１４  下側リンク
１５  保持ピン
１６  上側片
１７  下側片
１８  下部取付枠
１９  平板
２０  保持ピン
２１  平板
２２  水平材
２３  固定手段
２４  受け止め片
２５  ネジ
２６  ロック片
２７  弾性片
２８  突起
２９  線材
３０  接続部材
【図１】
0003164227.tif 000003
【図２】
0003164227.tif 000004
【図３】
0003164227.tif 000005
【図４】
0003164227.tif 000006
【図５】
0003164227.tif 000007